(57)【要約】【課題】簡単な方法で、ＯＳのオンラインプリントウィザード機能によりユーザが所望する写真店にオンラインでプリント注文を行うことができるオンラインプリント注文システム及びオンラインプリント注文方法の提供。【解決手段】ユーザ端末２ａとプリントサービスサーバ３とプリントサービスの加盟写真店４のサーバ４ａとが通信ネットワーク５を介して接続され、プリントサービスサーバ３には、写真店毎の領域に該写真店４のＵＲＬや名称、サービス内容等の情報が記録されたレジストリファイル３ａが記憶されているものであり、写真店ホームページ７にレジストリファイル３ａのダウンロードボタンを設けてユーザ２に提供し、該レジストリファイルをユーザ端末２ａで実行することにより、複雑な操作をすることなく、オンラインプリントウィザードのプリント会社選択画面に該写真店４を追加することができる。【選択図】図１
2004199256.tif 000002
【特許請求の範囲】
【請求項１】
プリント注文を行うユーザの端末と、オンラインでプリントの注文を受け付けるプリントサービスを提供するプリントサービスサーバとが通信ネットワークを介して接続され、
前記プリントサービスサーバに、前記ユーザ端末のレジストリに前記プリントサービスに加盟している写真店の情報を追加するレジストリファイルが記憶されていることを特徴とするオンラインプリント注文システム。
【請求項２】
前記プリントサービスサーバは、ｗｅｂ上に前記写真店のホームページを表示し、前記ホームページにおいて、前記レジストリファイルが前記ユーザ端末にダウンロードされることを特徴とする請求項１記載のオンラインプリント注文システム。
【請求項３】
前記レジストリファイルに、前記写真店毎のダウンロードサイトを指定するＵＲＬと、前記写真店の名称と、前記写真店のサービスの内容を示す情報とを含むことを特徴とする請求項１又は２に記載のオンラインプリント注文システム。
【請求項４】
プリント注文を行うユーザの端末と、オンラインでプリントの注文を受け付けるプリントサービスを提供するプリントサービスサーバと、前記プリントサービスに加盟している写真店のサーバとを含むシステムにおけるプリント注文方法であって、
前記ユーザに、前記ユーザ端末のレジストリに前記写真店の情報を追加するレジストリファイルを提供し、前記ユーザ端末から前記写真店へのプリント注文を可能とすることを特徴とするオンラインプリント注文方法。
【請求項５】
プリント注文を行うユーザの端末と、オンラインでプリントの注文を受け付けるプリントサービスを提供するプリントサービスサーバと、前記プリントサービスに加盟している写真店のサーバとを含むシステムにおけるプリント注文方法であって、
前記プリントサービスサーバは、前記ユーザ端末のレジストリに前記写真店の情報を追加するレジストリファイルを記憶し、ｗｅｂ上に表示する前記写真店のホームページにおける指示により、前記ユーザの端末に、前記レジストリファイルをダウンロードすることを特徴とするオンラインプリント注文方法。
【請求項６】
前記ユーザ端末では、前記レジストリファイルの実行により、オンラインプリントウィザードの設定情報が記録された前記レジストリに、前記写真店の情報が追加されることを特徴とする請求項４又は５に記載のオンラインプリント注文方法。
【請求項７】
前記レジストリファイルに、前記写真店毎のダウンロードサイトを指定するＵＲＬと、前記写真店の名称と、前記写真店のサービスの内容を示す情報とを含むことを特徴とする請求項４乃至６のいずれか一に記載のオンラインプリント注文方法。
【請求項８】
前記プリントサービスサーバは、前記オンラインプリントウィザードを用いて前記写真店のダウンロードサイトで注文された注文情報を、前記写真店毎の領域に記憶し、前記写真店のサーバは、前記プリントサービスサーバから前記注文情報を取得してプリントを実行することを特徴とする請求項４乃至７のいずれか一に記載のオンラインプリント注文方法。
【発明の詳細な説明】
【０００１】
【発明の属する技術分野】
本発明は、オンラインプリント注文システム及びオンラインプリント注文方法に関し、特に、ＯＳのオンラインプリントウィザード機能を利用したオンラインプリント注文システム及びオンラインプリント注文方法に関する。
【０００２】
【従来の技術】
近年、デジタルカメラの高性能化、低価格化により、写真画像をデジタルデータとして取り扱うユーザが増えている。また、フィルムカメラで撮影した写真をデジタルデータに変換するサービスも行われており、例えば、ラボ等の写真店やコンビニエンスストア等の注文店舗に撮影したフィルムを持ち込むと、写真店でフィルムを現像した後、ネガフィルムをスキャナ等で読み取り、読み取った画像データをＣＤ−Ｒ等の情報記録媒体に書き込んでユーザに提供するサービスが行われている。
【０００３】
写真画像をデジタルデータとして利用するユーザは、画像データをパソコン等のコンピュータ端末に接続された家庭用プリンタを用いてプリントすることができるが、より高精細なプリントを希望する場合には、オンラインでプリントの注文を受け付けるプリントサービスサーバに画像データを送信して、写真店にプリントを依頼することができる。
【０００４】
このようなオンラインプリントサービスでは、インターネットを介してサイズの大きい画像データのアップロード／ダウンロードを行う必要があることから、通信を効率的に行うための各種方法が提案されている（例えば、特開平１３−２８５７６４号公報）。この公報では、複数のユーザがサーバに同時にアクセスして注文画像をアップロード又はダウンロードした場合に回線がビジー状態になりアクセス速度が極端に低下するといった等の問題を解決するために、複数の画像保管用サーバを設け、複数のユーザがアクセスした場合に注文受付用サーバが使用されていない画像保管用サーバを検索して割り振ることを特徴としており、この方法によりプリント注文の処理を効率的に行うことができる。
【０００５】
【特許文献１】
特開平１３−２８５７６４号公報（第３−６頁、図１）
【０００６】
【発明が解決しようとする課題】
しかしながら、上記公報等に示されるような従来のオンラインプリント注文システムは、ブラウザソフトを用いてプリント注文を行うものであり、ユーザがプリントサービスサーバに画像データを送信すると、プリントサービスサーバ側で画像データを組み込んだ注文画面を作成し、その画面をユーザがダウンロードするといった手順が必要であり、プリントサービスサーバの負荷が大きくなると共にデータの通信や処理に時間がかかってしまう。また、ユーザにとっては画像表示ソフトで行う画像の閲覧、選択作業とブラウザソフトで行うプリント注文作業とを別々に行わなければならず、作業性が悪いという問題がある。
【０００７】
一方、パソコンのＯＳであるウィンドウズ（Ｒ）ＸＰには、オンラインプリントウィザードという機能を備えており、例えば、エクスプローラ等で画像を表示した後、画面中の「画像のタスク」で「オンラインでプリントを注文する」を選択すると自動的にオンラインプリントウィザードが起動し、予めレジストリに書き込まれたプリントサービス会社にプリント注文を行うことができるようになっている。
【０００８】
このオンラインプリントウィザードは、ブラウザソフトを用いた方法と異なり、画像データの閲覧、選択とプリント注文とを一連の作業として行うことができ、また、フォトサービスサーバから注文ページをダウンロードして、ユーザのパソコン上でその注文ページに画像データを組み込んで注文画面が作成されるため、ブラウザソフトの場合のように、ユーザが一旦画像データを送信してプリントサービスサーバ側で画像データを組み込んだ注文画面を作成し、ユーザがその注文画面をダウンロードするといった複雑な処理がなく、プリントサービスサーバの負荷を軽減できると共にプリント注文を簡単かつ迅速に実行できるという特徴がある。
【０００９】
しかしながら、オンラインプリントウィザードでのプリント注文は、予めレジストリに書き込まれているプリントサービス会社に対してしか行うことができず、レジストリの中にプリント注文を希望するプリントサービス会社や写真店が含まれていない場合には、そのプリントサービス会社や写真店に対してプリント注文を行うことはできないという問題がある。
【００１０】
上記レジストリは、ＯＳが管理するシステムデータであり、その中にはパソコンのハードウェアデバイスの情報やインストールしたソフトウェアの管理情報、ＯＳのシステム情報等のパソコンの動作に必要な情報が記録されている。このレジストリはレジストリエディタ等を用いて書き換えることは可能であるが、そのためには特殊な知識、技術が必要であり、間違ってレジストリを書き換えてしまうとシステムが不安定となったり、パソコンが正常に動作しなくなる恐れもあり、パソコン操作に不慣れなユーザがレジストリの書き換え作業を行うのは好ましくない。
【００１１】
本発明は、上記問題点に鑑みてなされたものであって、その主たる目的は、簡単な方法で、ＯＳのオンラインプリントウィザード機能によりユーザが所望する写真店にオンラインでプリント注文を行うことができるオンラインプリント注文システム及びオンラインプリント注文方法を提供することにある。
【００１２】
【問題を解決するための手段】
上記目的を達成するため、本発明のオンラインプリント注文システムは、プリント注文を行うユーザの端末と、オンラインでプリントの注文を受け付けるプリントサービスを提供するプリントサービスサーバとが通信ネットワークを介して接続され、前記プリントサービスサーバに、前記ユーザ端末のレジストリに前記プリントサービスに加盟している写真店の情報を追加するレジストリファイルが記憶されているものである。
【００１３】
本発明においては、前記プリントサービスサーバは、ｗｅｂ上に前記写真店のホームページを表示し、前記ホームページにおいて、前記レジストリファイルが前記ユーザ端末にダウンロードされる構成とすることができる。
【００１４】
また、本発明においては、前記レジストリファイルに、前記写真店毎のダウンロードサイトを指定するＵＲＬと、前記写真店の名称と、前記写真店のサービスの内容を示す情報とを含むことが好ましい。
【００１５】
また、本発明のオンラインプリント注文方法は、プリント注文を行うユーザの端末と、オンラインでプリントの注文を受け付けるプリントサービスを提供するプリントサービスサーバと、前記プリントサービスに加盟している写真店のサーバとを含むシステムにおけるプリント注文方法であって、前記ユーザに、前記ユーザ端末のレジストリに前記写真店の情報を追加するレジストリファイルを提供し、前記ユーザ端末から前記写真店へのプリント注文を可能とするものである。
【００１６】
また、本発明のオンラインプリント注文方法は、プリント注文を行うユーザの端末と、オンラインでプリントの注文を受け付けるプリントサービスを提供するプリントサービスサーバと、前記プリントサービスに加盟している写真店のサーバとを含むシステムにおけるプリント注文方法であって、前記プリントサービスサーバは、前記ユーザ端末のレジストリに前記写真店の情報を追加するレジストリファイルを記憶し、ｗｅｂ上に表示する前記写真店のホームページにおける指示により、前記ユーザの端末に、前記レジストリファイルをダウンロードするものである。
【００１７】
本発明においては、前記ユーザ端末では、前記レジストリファイルの実行により、オンラインプリントウィザードの設定情報が記録された前記レジストリに、前記写真店の情報が追加されることが好ましい。
【００１８】
また、本発明においては、前記プリントサービスサーバは、前記オンラインプリントウィザードを用いて前記写真店のダウンロードサイトで注文された注文情報を、前記写真店毎の領域に記憶し、前記写真店のサーバは、前記プリントサービスサーバから前記注文情報を取得してプリントを実行する構成とすることができる。
【００１９】
このように、本発明の構成によれば、初めにブラウザソフトを用いてプリントサービスサーバにアクセスして、該サービスに加盟している写真店のホームページからレジストリファイルをダウンロードし、ユーザ端末で実行することにより、レジストリに該写真店のＵＲＬを含む情報を書き加えることができ、パソコン操作に不慣れなユーザであっても簡単にレジストリを書き換えることができる。それにより、その後のプリント注文に際して、ＯＳのオンラインプリントウィザードを利用して該写真店に直接プリント注文を行うことができる。
【００２０】
【発明の実施の形態】
本発明に係るオンラインプリント注文システムは、その好ましい一実施の形態において、ユーザの端末と、オンラインプリントサービスを提供するプリントサービスサーバと、プリントサービスに加盟している写真店のサーバとが通信ネットワークを介して接続され、プリントサービスサーバには、写真店毎の領域に、該写真店のＵＲＬや名称、サービス内容等の情報が記録されたレジストリファイルが記憶されているものであり、プリントサービスポータルサイトで表示される写真店ホームページにレジストリファイルのダウンロードボタンを設けてユーザに提供し、該レジストリファイルをユーザの端末で実行することにより、ウィンドウズ（Ｒ）ＸＰのオンラインプリントウィザードのプリント会社選択画面に該写真店を追加することができる。
【００２１】
これにより、ユーザにとってはレジストリエディタを用いて自らレジストリを書き換えるといった特別な作業を行うことなく、簡単に所望の写真店をオンラインプリントウィザードのプリント会社選択画面の選択肢に含めることができ、プリントサービスサーバにとってはサーバ側で注文画面を作成する必要がなくなるため、負荷を軽減することができる。
【００２２】
【実施例】
上記した本発明の実施の形態についてさらに詳細に説明すべく、本発明の一実施例について、図１乃至図１５を参照して説明する。図１は、本発明の一実施例に係るオンラインプリント注文システムの構成を示す図であり、図２は、レジストリのデータ構造を示す図である。また、図３は、レジストリの書き換え手順を示すフローチャート図であり、図４は、オンラインプリントウィザードを用いたプリント注文の概略手順を示すフローチャート図である。また、図５乃至図１５は、ユーザ端末上で表示される画面の構成例を示す図である。
【００２３】
図１に示すように、本実施例のオンラインプリント注文システム１は、ＯＳとしてウィンドウズ（Ｒ）ＸＰがインストールされたパソコン等のユーザ端末２ａを保有するユーザ２と、オンラインでプリントの注文を受け付けるプリントサービスサーバ３と、写真店サーバ４ａを有しプリントサービスに加盟する写真店４とが通信ネットワーク５を介して相互に接続されている。また、プリントサービスサーバ３は写真店４毎の領域を備え、各々の領域に画像データと注文データとが格納され、写真店毎のホームページやプリント注文ページに関する情報やレジストリファイル３ａが記憶される。
【００２４】
なお、本実施例では説明を容易にするために、プリントサービスサーバ３が提供するポータルサイト６に写真店４の一覧を設け、所望の写真店４を選択するとそのホームページ７にジャンプする構成としているが、写真店４が独自のホームページを持ち、直接アクセス可能に構成されていてもよい。
【００２５】
上記構成のオンラインプリント注文システム１を用いて、ユーザ端末２ａのレジストリを書き換える手順について、図２のレジストリデータの構造及び図３のフローチャート図並びに図５乃至図７の画面構成例を参照して説明する。
【００２６】
まず、ステップＳ１０１において、ユーザ２は、ユーザ端末２ａにインストールされているブラウザソフトを立ち上げる。このブラウザソフトの種類は限定されずインターネット上のｗｅｂページを閲覧可能なものであればよい。
【００２７】
次に、ステップＳ１０２で、ユーザ２は、ユーザ端末２ａの通信機能を用いてプリントサービスサーバ３にアクセスし、プリントサービスのポータルサイト６に入場する。なお、ここではプリントサービスサーバ３はオンラインでのプリント注文サービスを提供するものとしているが、プリント注文サービス以外に、ポストカードの作成や画像データの保存、電子アルバムの作成等のサービスを行うものであってもよい。
【００２８】
次に、ステップＳ１０３で、ポータルサイト６に設けられている加盟店の一覧の中から所望の写真店４を選択して該写真店４のホームページ７にアクセスすると、例えば、図５に示すような画面が表示される。この写真店ホームページ７には、該写真店４で取り扱うサービスの一覧や会員専用ページを表示するための会員ＩＤ、パスワードの入力欄の他に、本発明の特徴であるレジストリファイル３ａのダウンロードを実行するダウンロードボタン８が表示される。なお、図５の画面構成は一例であり、少なくともレジストリファイル３ａのダウンロードができる構成であればよい。
【００２９】
そして、ユーザ２がダウンロードボタン８をクリックすると、ステップＳ１０４でプリントサービスサーバ３に記憶されているレジストリファイル３ａがユーザ端末２ａにダウンロードされ、図６に示すようにウィンドウズ（Ｒ）画面９にレジストリファイル３ａのアイコン１０ａが表示される。
【００３０】
そして、レジストリファイルアイコン１０ａをダブルクリックすると、図７に示すような確認メッセージ１０ｂが表示され、「はい」を選択すると、ステップＳ１０５でレジストリファイル３ａ中に記録されている写真店４のＵＲＬを含む情報がレジストリに書き加えられ、オンラインプリントウィザード実行時のプリント会社の選択画面に該写真店４のアイコン、名称、メッセージ等が表示されるようになる。
【００３１】
ここで、図２を参照してレジストリのデータ構造について説明する。レジストリは、Windows（Ｒ）フォルダにある「System.dat」と「User.dat」と「Classes.dat」の３つのデータファイルに記録されており、オンラインプリントウィザードのプリント会社選択画面を設定するレジストリは、図２に示すようなデータ構造の「User.dat」ファイルに記録されている。そして、”Providers\”の下にプリント会社の情報を示す「レジストリ・キー」が書き込まれており、ここに所望の写真店４のＵＲＬを含む情報を書き加えることになる。
【００３２】
この「レジストリ・キー」には”Icon”、”DisplayName”、”Description”、”ＨＲＥＦ”、”SupportedTypes”等のデータが含まれており、”Icon”は後述するプリント会社選択画面のプリント会社欄の左隅に表示されるアイコンへのパスを示し、”DisplayName”はプリント会社欄の１行目に表示されるサービス名、”Description”は２行目に表示されるサービスの説明、”ＨＲＥＦ”は最初に表示されるサービスページのＵＲＬ、”SupportedTypes”はサービスでサポートされるファイルのタイプを示している。
【００３３】
写真店ホームページ７からダウンロードしたレジストリファイル３ａには、その写真店４に関する上記データが記録されており、レジストリファイル３ａを実行（ダブルクリック）すると、レジストリの”Providers\”の下に、該写真店４の”Icon”、”DisplayName（例えば、写真店Ａ）”、”Description（例えば、デジタルカメラなどの画像が高画質でご注文いただけます。）”、”ＨＲＥＦ（例えば、https://www.onlinelab.net/opw/pc1/start.php）”、”SupportedTypes”が書き加えられる。
【００３４】
このように、写真店ホームページ７からダウンロードしたレジストリファイル３ａをユーザ端末２ａ上で実行するのみで、レジストリに所望の写真店４の情報を書き加えることができるため、ユーザ２自身がレジストリエディタによってレジストリを書き換える必要がなくなり、パソコン操作に不慣れなユーザ２であっても、簡単な操作でオンラインプリントウィザードを用いて所望の写真店４にプリント注文することができるようになる。
【００３５】
なお、上記説明では、写真店ホームページ７にレジストリファイル３ａのダウンロード機能を設けたが、写真店４のＵＲＬを含む情報が記録されたレジストリファイル３ａをユーザ２に提供することができればよく、例えば、レジストリファイル３ａをユーザ２に電子メールで送信したり、ＣＤ−Ｒ等の情報記録媒体に記録してユーザ２に提供する構成とすることもできる。
【００３６】
次に、上記構成のオンラインプリント注文システム１において、ユーザ２がオンラインプリントウィザードを用いて所望の写真店４にプリント注文する手順について、図４のフローチャート図及び図８乃至図１５の画面構成例を参照して説明する。
【００３７】
まず、ステップＳ２０１において、ユーザ２がエクスプローラ等を用いて画像データが保存されているフォルダを指定すると、図８に示すような画面が表示される。このエクスプローラ画面１１には該フォルダ内に記憶されている画像データのサムネイル画像と選択した画像の拡大画像を表示する画像表示領域１１ｂと、画像データに対する処理や画像データの詳細情報を示すタスク表示領域１１ａとが設けられており、ユーザ２がタスク表示領域１１ａの「画像のタスク」欄から「オンラインでプリントを注文する」を選択してクリックすると、オンラインプリントウィザードが実行され、図９に示すようなオンラインプリントウィザード開始画面１２が表示される。
【００３８】
ここで、従来のブラウザソフトを用いるオンラインプリント注文方法では、画像表示ソフトを用いた画像データの閲覧、選択と、ブラウザソフトを用いたプリント注文とを別々の作業として行っていたため、プリント注文の操作が繁雑になるという問題があった。これに対してオンラインプリントウィザードを用いる方法では、エクスプローラ画面で画像を表示した状態から直ちにプリント注文を行うことができるため、プリント注文の操作を簡略化することができる。
【００３９】
次に、オンラインプリントウィザード開始画面１２で「次へ」をクリックすると、図１０に示すようなオンラインでプリント注文する画像を選択する画面が表示される。この画像選択画面１３には、エクスプローラで指定したフォルダ内に記憶されている画像データが表示されており、各々の画像の右上には画像を選択するためのチェックボックス１３ａが設けられている。そして、ステップＳ２０２で、ユーザ２は、「すべて選択」ボタン、「すべてクリア」ボタンや各々の画像データのチェックボックス１３ａをクリックして、該画像データの中からプリント注文する画像を選択する（図では、６画像中４つの画像データが選択されている状態を示している）。
【００４０】
ここでも、従来のブラウザソフトを用いるオンラインプリント注文方法では、ユーザ２は画像表示ソフトを用いて画像データの選択を行った後、画像データのファイル名を参照してプリントサービスサーバ３に画像データを送信していたため間違った画像データを送信する恐れがあったが、オンラインプリントウィザードを用いる方法では、サムネイル画像を見ながらチェックボックスを操作して画像データの選択を行うことができるため、画像の選択作業を簡単かつ確実に行うことができる。
【００４１】
次に、画像選択画面１３の「次へ」ボタンをクリックすると、図１１に示すようなプリント会社の選択画面が表示される。このプリント会社選択画面１４には、図２のレジストリデータ中の”Providers\”の下に書き込まれているプリントサービス会社のアイコン、名称、コメントが表示される。ここで、ＯＳには上位３つのプリント会社（プリントサービス会社Ａ〜Ｃ）がデフォルトとして書き込まれており、従来はこの中からプリント会社を選択しなければならなかったが、本実施例では、前記したように予め所望の写真店ホームページ７からレジストリファイルをダウンロードし、該写真店４のＵＲＬ、サービス名、サービスの説明等の情報がレジストリに書き加えているため、プリント会社選択画面１４にはその写真店４の情報も表示され、該写真店４に対してオンラインプリントウィザードを用いてプリント注文を行うことができる。
【００４２】
そして、ステップＳ２０３で、ユーザ２はその中から所望のプリント会社を選択（ここでは、写真店Ａを選択）して「次へ」ボタンを押すと、ユーザ端末２ａの通信機能により、自動的にレジストリの”ＨＲＥＦ”に記載されたＵＲＬ（このＵＲＬは、例えば、プリントサービスサーバ３における写真店毎の領域の場所を示す。）に接続され、例えば、図１２に示すような所望の写真店４のトップ画面１５が表示される。
【００４３】
この写真店トップ画面１５には、例えば、新規にプリント注文を行うユーザ２のための会員登録ボタンと、既に会員登録しているユーザ２のための会員ＩＤ、パスワードの入力欄が設けられている。そして、ステップＳ２０４で、会員登録していないユーザ２は会員登録ボタンを押し、会員登録しているユーザ２は会員ＩＤ、パスワードを入力して「次へ」ボタンを押す。例えば、会員登録ボタンを押すと、図示しない会員登録画面が表示され、ステップＳ２０５でこの画面中の会員ＩＤ、氏名、住所、電子メールアドレス等の入力欄にユーザの情報を入力して「次へ」ボタンを押すと、該写真店４に会員登録されてプリント注文が可能となる。
【００４４】
次に、ステップＳ２０６で、プリントサービスサーバ３から、選択画像、プリントサイズ、画素数チェック、単価、注文枚数等の欄が設けられているプリント注文ページが送信され、ステップＳ２０７でユーザ端末２ａ内で、該プリント注文ページにユーザ２が選択した画像データが組み込まれてプリント注文画面１６が作成される。
【００４５】
ここでも、従来のブラウザソフトを用いる方法では、ユーザ２がプリントサービスサーバ３に画像データを送信した後、プリントサービスサーバ３側で画像データを組み込んだプリント注文画面を作成し、その画面をユーザ２がダウンロードしていたため、プリントサービスサーバ３の負荷が大きくデータの通信に時間がかかるという問題があったが、オンラインプリントウィザードを用いる方法では、プリント注文画面１６はユーザ端末２ａ側で作成されるため、注文作業を円滑に進めることができる。なお、図ではユーザ２が選択した画像データが希望するプリントサイズに対して十分な画素数があるかどうかをチェックする「画素数チェック」欄を設けて高画質のプリントが提供できるようにしている。
【００４６】
そして、ユーザ２は「画素数チェック」、「価格」欄等を参照してプリントサイズを決定し、プリント枚数を入力して「次へ」ボタンをクリックすると、図１４に示すような商品の受取り店舗の選択画面が表示される。この受取り店舗選択画面１７には、会員登録情報を参照してユーザ２が登録した住所に近い受取り店舗の一覧が表示され、ステップＳ２０８で、ユーザ２はその中から希望を受取り店舗を指定したり、又は都道府県別一覧から希望の受取り店舗を指定し、「次へ」ボタンをクリックする。
【００４７】
すると、プリントサービスサーバ３から、プリント注文の確認ページが送信され、ステップＳ２０９で、ユーザ端末２ａ内で、該プリント注文確認ページにユーザ２が選択した画像データを組み込んだプリント注文確認画面１８が作成される。そして、ユーザ２はこれらの項目を確認した後、「次へ」ボタンをクリックすると、ステップＳ２１０でユーザ２が選択した画像データと注文データとがプリントサービスサーバ３の写真店毎の領域に格納されると共に写真店サーバ４ａに注文ファイルが格納される。そして、ステップＳ２１１で該写真店４でプリントが実行され、ユーザ２に提供される。
【００４８】
このように、本実施例のオンラインプリント注文システム１によれば、オンラインプリントウィザードのプリント会社選択画面１４中に所望の写真店４が追加されるため、その写真店４にオンラインプリントウィザードを用いてプリント注文を行うことができる。そして、ユーザ端末２ａでプリント注文画面やプリント注文確認画面を作成することにより、迅速にプリント注文を実行することができる。
【００４９】
なお、上記実施例では、ユーザ２がプリントサービスサーバ３からレジストリファイル３ａをダウンロードする構成としたが、本発明は上記実施例に限定されるものではなく、プリントサービスの提供者が写真店４にレジストリファイル３ａを提供し、写真店４がレジストリファイル３ａをフロッピー（登録商標）等の情報記録媒体に記録してユーザ２に提供する構成としたり、該プリントサービスとは異なる写真店４独自のホームページ等を通じてユーザ端末２ａにレジストリファイル３ａをダウンロードする構成とすることもできる。
【００５０】
【発明の効果】
以上説明したように、本発明のオンラインプリント注文システム及びオンラインプリント注文方法によれば下記記載の効果を奏する。
【００５１】
本発明の第１の効果は、所望の写真店に対してオンラインプリントウィザードを用いてプリント注文を行うことができるということである。
【００５２】
その理由は、プリントサービスに加盟している写真店のホームページで、該写真店のＵＲＬを含む情報が記録されたレジストリファイルを提供し、ユーザは該写真店のホームページからダウンロードしたレジストリファイルを実行するのみで、複雑な操作をすることなく、オンラインプリントウィザードで注文可能なプリント会社の中に所望の写真店を追加することができるからである。
【００５３】
また、本発明の第２の効果は、プリント注文における通信時間を削減することができるということである。
【００５４】
その理由は、オンラインプリントウィザードではユーザ端末上で画像データを組み込んだプリント注文画面やプリント注文確認画面の作成が行われるため、ブラウザソフトを用いる場合のように、ユーザが画像データを送信しプリントサービスサーバ側で注文画面や注文確認画面を作成し、再度ユーザが該画面をダウンロードするといった複雑な処理を行う必要がなくなるからである。
【００５５】
そして、このようなオンラインプリント注文システムを構築することにより、ユーザにとっては所望の写真店に対してオンラインプリントウィザードを用いて簡単にプリント注文を行うことができ、プリントサービスサーバにとっては、プリント注文画面やプリント注文確認画面を作成する手間を省くことができ、双方の利便性を向上させることができる。
【図面の簡単な説明】
【図１】本発明の一実施例に係るオンラインプリント注文システムの構成を示す図である。
【図２】本発明のレジストリのデータ構造を示す図である。
【図３】本発明の一実施例に係るレジストリ書き換え手順を示すフローチャート図である。
【図４】本発明の一実施例に係るオンラインプリント注文手順を示すフローチャート図である。
【図５】コンピュータ端末に表示される画面（写真店ホームページ画面）構成例を示す図である。
【図６】コンピュータ端末に表示される画面（アイコン表示画面）構成例を示す図である。
【図７】コンピュータ端末に表示される画面（レジストリ書き換え確認画面）構成例を示す図である。
【図８】コンピュータ端末に表示される画面（エクスプローラ画面）構成例を示す図である。
【図９】コンピュータ端末に表示される画面（オンラインプリントウィザード開始画面）構成例を示す図である。
【図１０】コンピュータ端末に表示される画面（画像選択画面）構成例を示す図である。
【図１１】コンピュータ端末に表示される画面（プリント会社選択画面）構成例を示す図である。
【図１２】コンピュータ端末に表示される画面（写真店トップ画面）構成例を示す図である。
【図１３】コンピュータ端末に表示される画面（プリント注文画面）構成例を示す図である。
【図１４】コンピュータ端末に表示される画面（受取り店舗選択画面）構成例を示す図である。
【図１５】コンピュータ端末に表示される画面（プリント注文確認画面）構成例を示す図である。
【符号の説明】
１  オンラインプリント注文システム
２  ユーザ
２ａ  ユーザ端末
３  プリントサービスサーバ
３ａ  レジストリファイル
４  写真店
４ａ  写真店サーバ
５  通信ネットワーク
６  ポータルサイト
７  写真店ホームページ
８  ダウンロードボタン
９  ウィンドウズ（Ｒ）画面
１０ａ  レジストリファイル
１０ｂ  確認メッセージ
１１  エクスプローラ画面
１１ａ  タスク表示領域
１１ｂ  画像表示領域
１２  オンラインウィザード開始画面
１３  画像選択画面
１３ａ  チェックボックス
１４  プリント会社選択画面
１５  写真店トップ画面
１６  プリント注文画面
１７  受取り店舗選択画面
１８  プリント注文確認画面
【図１】
2004199256.tif 000003
【図２】
2004199256.tif 000004
【図３】
2004199256.tif 000005
【図４】
2004199256.tif 000006
【図５】
2004199256.tif 000007
【図６】
2004199256.tif 000008
【図７】
2004199256.tif 000009
【図８】
2004199256.tif 000010
【図９】
2004199256.tif 000011
【図１０】
2004199256.tif 000012
【図１１】
2004199256.tif 000013
【図１２】
2004199256.tif 000014
【図１３】
2004199256.tif 000015
【図１４】
2004199256.tif 000016
【図１５】
2004199256.tif 000017